(57)【要約】【課題】無線通信機能を備える携帯型コンピュータ、携帯型音楽再生装置等の無線通信機において、通信費用に関する問題、通信の安全性に関する問題等の諸問題の発生を抑制することが可能な無線通信機及び給電システムを提供する。【解決手段】着脱可能な電力供給具が装着され給電可能な状態となった無線通信機１は、機械的機構により電力供給具の装着を検出し（ステップＳ１）、電力供給具に記録されている電力供給具識別情報を取得し（ステップＳ２）、取得した電力供給具識別情報に基づいて給電可能な状態であることを検出する（ステップＳ３）。そして電力供給具から給電可能な状態であることを検出した無線通信機１は、予め設定している所定の無線通信網を接続先の無線通信網として選択し（ステップＳ４）、選択した無線通信網に接続し（ステップＳ５）、無線通信を開始する。【選択図】図５
2007104607.tif 000002
【特許請求の範囲】
【請求項１】
電力供給具からの給電を受けて、複数の無線通信網に接続することが可能な無線通信機において、
電力供給具からの給電を受ける状態であるか否かを検出する検出手段と、
電力供給具からの給電を受ける状態であることを検出した場合に、所定の無線通信網を接続先の無線通信網として選択する手段と
を備えることを特徴とする無線通信機。
【請求項２】
電力供給具を着脱可能に構成してあり、
前記検出手段は、電力供給具の装着時に、装着した電力供給具に当接することにより、給電を受ける状態であることを検出する様に構成してある
ことを特徴とする請求項１に記載の無線通信機。
【請求項３】
電力供給具に記録されている電力供給具識別情報を取得する手段を更に備え、
前記検出手段は、取得した電力供給具識別情報を、予め記録している識別情報と照合することにより、給電を受ける状態であることを検出する様に構成してある
ことを特徴とする請求項１又は請求項２に記載の無線通信機。
【請求項４】
複数の無線通信網に接続することが可能な無線通信機と、該無線通信機に着脱可能な電力供給具とを備える給電システムにおいて、
前記無線通信機は、
前記電力供給具から給電を受ける状態であるか否かを検出する手段と、
前記電力供給具から給電を受ける状態であることを検出した場合に、所定の無線通信網を接続先の無線通信網として選択する手段と
を備えることを特徴とする給電システム。
【発明の詳細な説明】
【技術分野】
【０００１】
本発明は、複数の無線通信網に接続することが可能な無線通信機、及び該無線通信機を備える給電システムに関し、特に複数の無線通信網の中から選択された一の無線通信網に接続する無線通信機及び給電システムに関する。
【背景技術】
【０００２】
ＩＥＥＥ８０２．１１等の規格に基づく無線ＬＡＮ(Local Area Network)等の無線通信網が普及してきており、家屋、建造物、市街地、各種店舗等の屋内又は屋外の様々な場所に無線通信網に接続するアクセスポイントが設置されている。また無線通信網の普及に伴い無線通信網に接続することが可能な通信手段を備える携帯型音楽再生装置、携帯型コンピュータ等の無線通信機が普及してきている。
【０００３】
無線通信機を用いて無線通信を行う場合、無線通信機は、接続する無線通信網に付与されているＥＳＳＩＤ(Extended Service Set Identifier) 等の識別情報を検出し、検出した識別情報に基づいて通信を行うことで混信等の不具合の発生を防止する（例えば、特許文献１及び特許文献２参照。）。
【０００４】
また無線通信機が、複数の無線通信網に接続することが可能なエリアに進入した場合、無線通信機は、それまでに接続していた無線通信網との接続を維持することで通信の安定性を確保しようとする。これは無線通信機は、通信環境の変化が一時的なものであるか否かを判別することができないからである。
【特許文献１】特開２００３−２０４３３５号公報
【特許文献２】特開２００４−２６６８７０号公報
【発明の開示】
【発明が解決しようとする課題】
【０００５】
しかしながら例えば不特定多数の無線通信機が接続することが可能な従量課金制の第１無線通信網に接続している無線通信機を所持するユーザが、特定の無線通信機のみが接続することが可能な定額課金制の第２無線通信網が構築された家屋内に進入した場合でも、家庭内が第１無線通信網のアクセスポイントに接続可能なエリアで有れば、第１通信網との接続を維持することになる。このような場合、従量課金制の通信を続けることにより通信費用に関する問題、及び不特定多数が接続可能な無線通信網に接続しているという通信の安全性に関する問題が生じる。
【０００６】
本発明は斯かる事情に鑑みてなされたものであり、無線通信機が電力供給具からの給電を受けることが可能な状態にある場合に、家屋内に構築された無線通信網等の所定の無線通信網を接続先の無線通信網として選択することにより、通信費用に関する問題、通信の安全性に関する問題等の諸問題の発生を抑制することが可能な無線通信機、及び該無線通信機を備える給電システムの提供を目的とする。
【課題を解決するための手段】
【０００７】
本発明に係る無線通信機は、電力供給具からの給電を受けて、複数の無線通信網に接続することが可能な無線通信機において、電力供給具からの給電を受ける状態であるか否かを検出する検出手段と、電力供給具からの給電を受ける状態であることを検出した場合に、所定の無線通信網を接続先の無線通信網として選択する手段とを備えることを特徴とする。
【０００８】
本発明では、電力供給具から無線通信機への給電及び給電による充電は、家屋内等の定額課金制及び高安全性の無線通信網に接続可能なエリア内で行われるという前提の元で、給電を受けることが可能な状態にある場合には、家屋内に構築された無線通信網等の所定の無線通信網を接続先の無線通信網として選択することにより、通信費用に関する問題、通信の安全性に関する問題等の諸問題の発生を抑制することが可能である。
【０００９】
本発明に係る無線通信機は、電力供給具を着脱可能に構成してあり、前記検出手段は、電力供給具の装着時に、装着した電力供給具に当接することにより、給電を受ける状態であることを検出する様に構成してあることを特徴とする。
【００１０】
本発明では、充電台等の電力供給具を装着することで給電を受ける状態となる場合に、機械的機構にて電力供給具の装着を検出することにより、給電を受ける状態であることを検出することが可能である。
【００１１】
本発明に係る無線通信機は、電力供給具に記録されている電力供給具識別情報を取得する手段を更に備え、前記検出手段は、取得した電力供給具識別情報を、予め記録している識別情報と照合することにより、給電を受ける状態であることを検出する様に構成してあることを特徴とする。
【００１２】
本発明では、電力供給具識別情報を照合することにより、費用面、安全面等の諸要因に優れた所定の無線通信網が構築されているエリア内に位置すると判断し、所定の無線通信網を接続先の無線通信網として選択することが可能である。
【００１３】
本発明に係る給電システムは、複数の無線通信網に接続することが可能な無線通信機と、該無線通信機に着脱可能な電力供給具とを備える給電システムにおいて、前記無線通信機は、前記電力供給具から給電を受ける状態であるか否かを検出する手段と、前記電力供給具から給電を受ける状態であることを検出した場合に、所定の無線通信網を接続先の無線通信網として選択する手段とを備えることを特徴とする。
【００１４】
本発明では、電力供給具から無線通信機への給電及び給電による充電は、家屋内等の定額課金制及び高安全性の無線通信網に接続可能なエリア内で行われるという前提の元で、給電を受けることが可能な状態にある場合には、家屋内に構築された無線通信網等の所定の無線通信網を接続先の無線通信網として選択することにより、通信費用に関する問題、通信の安全性に関する問題等の諸問題の発生を抑制することが可能である。
【発明の効果】
【００１５】
本発明に係る無線通信機及び給電システムは、ＡＣアダプタ、充電台、配電機能付き装着型コンピュータ補助装置等の電力供給具から給電及び該給電による充電が可能で、無線通信機能を備える携帯型音楽再生装置、携帯型コンピュータ等の無線通信機において、外部充電器からの給電を受ける状態にある場合に、所定の無線通信網を接続先の無線通信網として選択する。
【００１６】
この構成により、本発明では、電力供給具から無線通信機への給電は、家屋内等の定額課金制及び高安全性の無線通信網に接続可能なエリア内で行われるという前提の元で、給電を受けることが可能な状態にある場合には、家屋内に構築された無線通信網等の所定の無線通信網を接続先の無線通信網として選択することにより、通信費用に関する問題、通信の安全性に関する問題等の諸問題の発生を抑制することが可能である等、優れた効果を奏する。しかもこのような諸要因に優れた無線通信網を選択する処理を、ユーザが意識することなく行うことができるので、本発明は利便性に優れている。
【発明を実施するための最良の形態】
【００１７】
以下、本発明をその実施の形態を示す図面に基づいて詳述する。図１及び図２は、本発明の給電システムの一例を示す外観図である。図１中１は、無線通信機能を備える携帯型音楽再生装置を用いた本発明の無線通信機であり、無線通信機１は、着脱可能な充電台を用いた電力供給具２を装着することにより、給電を受け各種動作及び充電が行われる。
【００１８】
無線通信機１は、家屋、建造物、市街地、各種店舗等の屋内又は屋外の様々な場所（通信エリア）に設置されたアクセスポイントを介してＩＥＥＥ８０２．１１等の規格に基づく無線ＬＡＮ(Local Area Network)等の複数の無線通信網１００，１００，…のいずれか一つに接続することが可能である。なお無線通信網１００は、各通信エリアで独自に構築されており、一の無線通信機１は、同時に複数の無線通信網１００，１００，…に接続することはできない。そして無線通信機１が、無線通信網１００に接続する場合、接続する無線通信網１００（アクセスポイント）に付与されているＥＳＳＩＤ(Extended Service Set Identifier) 等の識別情報を検出し、検出した識別情報に基づく設定により通信を行うことで混信等の不具合の発生を防止している。なお通信に関する設定は、予め識別情報に対応付けて記録しておくことができる。
【００１９】
また図２中１は、無線通信機能を備える携帯型コンピュータを用いた本発明の無線通信機であり、無線通信機１は、ＣＤ−ＲＯＭドライブ及び各種コネクタを備えたドッキングステーション（登録商標）と呼ばれる着脱可能な配電機能付き装着型コンピュータ補助装置を用いた電力供給具２を装着することにより、給電を受け各種動作及び充電が行われる。なお本発明の給電システムは、図１及び図２に示した形態に限るものではなく、例えば無線通信機１として、携帯型情報端末(PDA: Personal Digital Assistants)、携帯電話等の装置を用いることも可能であり、また電力供給具２としてＡＣアダプタ、更には電磁誘導により無線通信機１に非接触で給電する装置を用いることも可能である。
【００２０】
図３は、本発明の給電システムの構成例を示すブロック図である。なお図３は、図１に示した携帯型音楽再生装置である無線通信機１と、充電台である電力供給具２とを用いた給電システムを例示している。無線通信機１は、装置全体を制御するＣＰＵ(Central Processing Unit) 等の制御部１０と、各種プログラム及びデータを記録するＲＯＭ(Read Only Memory)、ＲＡＭ(Random Access Memory)、ハードディスク、フラッシュメモリ等の記録部１１と、音楽データを格納するハードディスク、フラッシュメモリ等の不揮発性のメモリである格納部１２と、無線通信網１００に接続する無線通信部１３と、スピーカ等の音楽出力部１４と、押釦、ダイアル等の操作部１５と、液晶モニタ等の表示部１６とを備えている。なお記録部１１には、電力供給具を識別する電力供給具識別情報、電力供給具識別情報に対応付けた無線通信網１００に関する設定等の情報が記録されている。
【００２１】
さらに無線通信機１は、電力供給具２からの給電を受けるコネクタ等の受電部１７と、電力供給具２の装着を検出する第１検出部１８と、電力供給具２を識別する電力供給具識別情報を取得して給電可能な状態であることを検出する第２検出部１９とを備えている。
【００２２】
電力供給具２は、１００ボルト家庭用交流電源等の商用電源から交流電力の入力を受ける入力部２０と、入力部２０が受けた交流電力を変圧するトランス等の変圧部２１と、変圧した交流電力を直流電力に変換する整流部２２と、整流部２２により変換された直流電力を平滑化する平滑部２３と、平滑化した直流電力を出力する出力部２４とを備えている。
【００２３】
さらに電力供給具２は、自身を識別する電力供給具識別情報を記録する記録部２５と、記録部２５に記録している電力供給具識別情報を発信する発信部２６とを備えている。
【００２４】
図４は、本発明の給電システムにて用いられる無線通信機１及び電力供給具２の夫々の接触箇所の一例を概念的に示す断面図である。電力供給具２は、無線通信機１に接触するコネクタとして、前述した出力部２４及び発信部２６を備えており、更に筐体の外部に固着する円柱状をなす突起部２７を備えている。無線通信機１は、電力供給具２を装着時に出力部２４からの給電を受ける受電部１７を備えており、更に発信部２６から発信される電力供給具識別情報を取得する第２検出部１９と、突起部２７に嵌合する円筒状の挿通孔１８ａを有する第１検出部１８とを備えている。
【００２５】
発信部２６及び第２検出部１９は、接触することで通信可能となり、電力供給具２から無線通信機１へ電力供給具識別情報を発信する。またＲＦＩＤ(Radio Frequency Identification)タグを用いて記録部２５及び発信部２６を構成し、第２検出部１９の接近による非接触電力伝送にて発生した電磁誘導を電力としてアンテナである発信部２６から電力供給具識別情報を発信する様にしても良い。
【００２６】
第１検出部１８は、円筒状をなす挿通孔１８ａの内部側の底面に相当する位置に、嵌合した突起部２７が当接する当接部材１８ｂを有しており、当接部材１８ｂに突起部２７が当接することにより、第１検出部１８を備える無線通信機１は、電力供給具２が装着されたことを検出する。
【００２７】
次に本発明の無線通信機１の処理について説明する。図５は、本発明の無線通信機１の処理の一例を示すフローチャートである。着脱可能な電力供給具２が装着された無線通信機１は、第１検出部１８に突起部２７が当接することにより電力供給具２の装着を検出し（ステップＳ１）、更に第２検出部１９により電力供給具２に記録されている電力供給具識別情報を取得し（ステップＳ２）、取得した電力供給具識別情報を、記録部１１に記録している電力供給具識別情報と照合することにより、給電を受けることが可能な状態であることを検出する（ステップＳ３）。なお照合に失敗した場合、以降の処理は行われない。
【００２８】
そして電力供給具２から給電可能な状態であることを検出した無線通信機１は、電力供給具識別情報に対応付けて記録部１１に記録している所定の無線通信網１００を接続先の無線通信網１００として選択し（ステップＳ４）、選択した無線通信網１００に対応する識別情報に応じた設定を行って、選択した無線通信網１００に接続し（ステップＳ５）、無線通信を開始する。
【００２９】
前記実施の形態では、機械的機構による装着の検出及び電力供給具識別情報の識別による検出（認証）に基づいて、接続先の無線通信網を選択する形態を示したが、本発明はこれに限らず、例えば無線通信機に対して非接触で充電する場合、機械的機構による検出は行わず、非接触通信による認証にて無線通信網を選択する様にしても良く、その場合、認証結果に応じて選択する無線通信網を変更する等、様々な形態に展開することが可能である。
【図面の簡単な説明】
【００３０】
【図１】本発明の給電システムの一例を示す外観図である。
【図２】本発明の給電システムの一例を示す外観図である。
【図３】本発明の給電システムの構成例を示すブロック図である。
【図４】本発明の給電システムにて用いられる無線通信機及び電力供給具の夫々の接触箇所の一例を概念的に示す断面図である。
【図５】本発明の無線通信機の処理の一例を示すフローチャートである。
【符号の説明】
【００３１】
１  無線通信機
１３  無線通信部
１７  受電部
１８  第１検出部
１９  第２検出部
２  電力供給具
２４  出力部
２５  記録部
２６  発信部
２７  突起部
１００  無線通信網
【図１】
2007104607.tif 000003
【図２】
2007104607.tif 000004
【図３】
2007104607.tif 000005
【図４】
2007104607.tif 000006
【図５】
2007104607.tif 000007